(57)【特許請求の範囲】
【請求項１】
メインフレーム（１）を平面視前方を開放した略コ字状に構成し、該メインフレーム（１）の前後中央部の間に、移植爪（３１）の昇降開閉機構（３２）と、苗取り駆動機構（６５）を配置し、前記メインフレーム（１）の後部の間に苗載台（３４）が配置され、該メインフレーム（１）後部より前下方に延出するガイドフレーム（１４７）に苗載台（３４）を摺動自在に支持し、該ガイドフレーム（１４７）より下方で、該移植爪（３１）の後下方に下部フレーム（３７）を配置し、該下部フレーム（３７）に覆土輪（３９）を吊設し、前記覆土輪（３９）を支持する覆土輪支持フレーム（２１３）と下部フレーム（３７）との取り付け角度を変更することにより移植爪（３１）の移植深さを調整する植深さレバー（７０）と、下部フレーム（３７）の後部を上下動させることで、覆土圧を調整する覆土圧調整レバー（７３）を、前記メインフレーム（１）の後部に固設したハンドル（３６）より下方で、覆土輪（３９）より上方のガイドフレーム（１４７）に沿って配設し、前記ガイドフレーム（１４７・１４７）の後部のメインフレーム（１）の後端部近傍位置に連結棒（２２０）を横設し、該連結棒（２２０）に操作板（２１６）を固設し、該操作板（２１６）に植深さレバー（７０）と、覆土圧調整レバー（７３）を配置したことを特徴とする歩行型野菜移植機の操作部。
【請求項２】
請求項１記載の歩行型野菜移植機の操作部において、該操作板（２１６）に、植深さレバー（７０）と覆土圧調整レバー（７３）の他に、歩行型野菜移植機の速度を変速する主変速レバー（７１）と、株間を変える株間変更レバー（７２）とを配置したことを特徴とする歩行型野菜移植機の操作部。
【発明の詳細な説明】
【０００１】
【発明の属する技術分野】
本発明は、歩行型野菜移植機の移植爪による移植深さや、移植後の苗を覆土する覆土輪による覆土圧を調整するレバーを配置する操作部の配置構成に関する。
【０００２】
【従来の技術】
従来から苗載台上に野菜苗が生育された苗トレイを載置し、機体の後部に左右にスライド軸を横設し、該スライド軸に摺動自在に苗載台を配し、該苗載台の左右往復動の終端位置で苗トレイの縦送り駆動が行われ、横送り駆動によって野菜苗を苗取り位置に案内し、苗取爪によって野菜苗を取り出し、開口器より構成される移植爪内に投入して、該移植爪を下降して土中に突入させて野菜苗を植え付け、覆土輪によって両側の土を押さえつけて覆土する技術は公知となっている。前記移植爪に動力を伝達する伝動ケースはミッションケースに回動自在に枢支されている。一方、覆土輪を支持するフレームを、伝動ケースに固設する下部フレームに枢支し、覆土輪に対して下部フレームを上方に回動させることで、下部フレームを介して伝動ケースが上方に回動され、移植爪が上方に回動され、移植深さを浅くしている。逆に、覆土輪と下部フレームとの間隔を狭めるように、下部フレームを下方に回動させることで、移植爪を下方に移動させて、移植深さを深くしていた。また、前記覆土輪による覆土圧は、下部フレームを下方に回動させる力を調整することによって行われ、覆土圧調整レバーや、移植深さ調整レバー等は覆土輪の近傍位置に個別に配置されていた。
【０００３】
【発明が解決しようとする課題】
従来の歩行型移植機における移植深さ調整レバーや、覆土圧調整レバー等の操作レバーは、覆土輪の近傍位置である、機体後部の苗載台下方に配置されていた。従って、前記移植深さ調整レバー等を操作するためには、オペレータは身を屈め、苗載台の下前方に配置されているレバーまで手を延ばして切替操作を行っており、切替操作時に機体の姿勢の変化を確認しながら操作することができず、切替調整後にレバーより離れ、姿勢の確認後に再調整する必要があり、煩雑なものとなっていた。その為に、前記調整レバーや、覆土圧調整レバーを機体後部のハンドルの近傍位置に配置することが望まれるが、苗載台等を回避して配置する必要があり、複雑なリンク構成となり、円滑な操作をさせることが困難となることが予測されていた。
また、前記移植深さ調整レバーと覆土圧調整レバー等が個別に配置されており、両レバーを交互に調整しながら操作することが困難なものとなっていた。更に、前記移植深さ調整レバーが下部フレーム後部に配されている場合には、下部フレームの上方回動が規制され、移植深さを調整するために、機体を昇降させる必要があり、調整を困難としていた。
【０００４】
【課題を解決するための手段】
本発明は、以上のような課題を解決するために、次のような手段を用いる。
請求項１においては、メインフレーム（１）を平面視前方を開放した略コ字状に構成し、該メインフレーム（１）の前後中央部の間に、移植爪（３１）の昇降開閉機構（３２）と、苗取り駆動機構（６５）を配置し、前記メインフレーム（１）の後部の間に苗載台（３４）が配置され、該メインフレーム（１）後部より前下方に延出するガイドフレーム（１４７）に苗載台（３４）を摺動自在に支持し、該ガイドフレーム１４７より下方で、該移植爪３１の後下方に下部フレーム３７を配置し、該下部フレーム３７に覆土輪３９を吊設し、前記覆土輪３９を支持する覆土輪支持フレーム２１３と下部フレーム３７との取り付け角度を変更することにより移植爪３１の移植深さを調整する植深さレバー７０と、下部フレーム３７の後部を上下動させることで、覆土圧を調整する覆土圧調整レバー７３を、前記メインフレーム１の後部に固設したハンドル３６より下方で、覆土輪３９より上方のガイドフレーム１４７に沿って配設し、前記ガイドフレーム１４７・１４７の後部のメインフレーム１の後端部近傍位置に連結棒２２０を横設し、該連結棒２２０に操作板２１６を固設し、該操作板２１６に植深さレバー７０と、覆土圧調整レバー７３を配置したものである。
請求項２においては、請求項１記載の歩行型野菜移植機の操作部において、該操作板２１６に、植深さレバー７０と覆土圧調整レバー７３の他に、歩行型野菜移植機の速度を変速する主変速レバー７１と、株間を変える株間変更レバー７２とを配置したものである。
【０００５】
【発明の実施の形態】
本発明の一実施例を、添付の図面を用いて説明する。
図１は歩行型野菜移植機の全体側面図、図２は同じく平面図、図３は歩行型野菜移植機後部を示す側面図、図４は覆土輪支持構成を示す側面図、図５は植深さレバーに連動するリンク機構を示す側面図一部断面図、図６は覆土圧調整レバーに連動するリンク機構を示す側面図一部断面図、図７は本発明の第二操作部を示す平面図一部断面図、図８は移植爪の昇降開閉機構を示す平面図一部断面図である。
【０００６】
次に、本発明の野菜移植機について全体構成から説明する。
図１、図２に示すように、メインフレーム１が前低後高に配置されて、該メインフレーム１の前部にエンジンフレーム２を固設し、該エンジンフレーム２上にエンジンＥを載置し、前記エンジンフレーム２の後部とメインフレーム１の前下部にミッションケース３が固定され、メインフレーム１後部の内側に移植部Ａが配置され、メインフレーム１後端に第一操作部２４５が配設されている。該第一操作部２４５には走行クラッチレバーや作業クラッチレバー等が配置されている。該エンジンＥやミッションケース３の上方や側方はカバー９によって覆われている。
【０００７】
前記メインフレーム１は鋼管等からなるパイプ部材を折り曲げて、側面視「へ」字状に、平面視前方を開放した略コ字状に構成され、平面視において、前部の幅は狭く後部の幅は広くして、後部のメインフレーム１の幅は車幅と略一致させて、側部を障害物から保護できるようにし、メインフレーム１が斜め上後方へ延出するように配設されている。
【０００８】
前記メインフレーム１の前端がエンジンフレーム２の中途部の側方に位置し、メインフレーム１の前部途中位置より内側方向に固定アーム８０・８０を左右対向させて固設し、該固定アーム８０・８０の内側端部にエンジンフレーム２の後上部を固定している。該エンジンフレーム２の前部上にはエンジンＥが載置固定され、該エンジンフレーム２内には駆動力の大きい昇降用油圧シリンダーが配設されている。
【０００９】
前記エンジンＥの出力軸５上に出力プーリー６が固定され、該出力プーリー６よりベルト５０を介してエンジンＥ後上方に配置する発電機４に動力が伝えられ、出力プーリー６よりベルト５１を介してミッションケース３に動力が伝えられ、該ベルト５１はメインフレーム１を横切るように配設されている。
【００１０】
そして、前記ミッションケース３の下部両側より走行駆動軸１０・１０が突出され、該走行駆動軸１０・１０に前輪支持体５２・５２と、その内側に後走行駆動ケース１２・１２がそれぞれ上下回動自在に枢支され、側面視「入」状に配置されている。該後走行駆動ケース１２内の走行駆動軸１０上にはスプロケットが固設され、後走行駆動ケース１２の他側に車軸１４が軸支されて、該後走行駆動ケース１２内の車軸１４上にはそれぞれスプロケットが固定され、走行駆動軸１０よりプロケット、チェーンを介して車軸１４を駆動できるようにしている。該後走行駆動ケース１２の車軸１４上に後輪１６が固定されて、前輪支持体５２端部に前輪１５が枢支され、後輪駆動で走行している。
【００１１】
前記メインフレーム１の左右両側上に、予備苗台３０・３０が前後方向に固定されている。前記メインフレーム１の前後中央部の間に移植爪３１の昇降開閉機構３２や苗取り駆動機構６５が配置されている。前記移植爪３１の後下方には、下部フレーム３７が配され、該下部フレーム３７に覆土輪３９が支持されている。また、前記メインフレーム１の後部の間に苗載台３４が配置され、メインフレーム１後部より前下方に延出するガイドフレーム１４７に苗載台３４が摺動自在に支持されている。
【００１２】
前記苗取り駆動機構６５の苗取駆動ケース８４内には、横送り駆動機構と縦送り駆動機構が配設され、苗取駆動ケース８４より内側に突出する横送り軸８５によって苗載台３４を横送りし、苗取駆動ケース８４より外側に突出する縦送り出力軸８６を介して苗載台３４に縦送り駆動力が伝達され、苗載台３４に縦送り駆動機構を配することがなく、苗載台３４の小型軽量化が図られており、該苗載台３４底面を圃場より上方位置に配され、該苗載台３４下方の空間が開放され、本発明の第二操作部２２２が配設される。
【００１３】
また、前記メインフレーム１後端に平面視コ字状に構成したハンドル３６が設けられ、該ハンドル３６には、主クラッチレバー２４１、植付けクラッチレバー２４３、昇降レバー、操向クラッチレバー等を有する第一操作部２４５が配されている。
【００１４】
前記移植爪３１の昇降開閉機構３２はミッションケース３一側（本実施例では右側）より後方へ突出した伝動ケース４５の後部に配置され、チェーンやスプロケット等を介して動力が伝達されている。前記苗取り駆動機構６５にもミッションケース３からチェーン６７やスプロケット等を介して動力が伝達されている。前記苗載台３４には、苗取り駆動機構６５よりスプロケット、チェーン６９を介して縦送り駆動力が伝達されている。この縦送り駆動力によって苗トレーが下方へ一定量ずつ搬送されて、苗取り駆動機構６５によって駆動される苗取爪６６によって、苗トレーから苗を一つずつ移植爪３１に搬送して、該移植爪３１を下降して畝上で開き落下させて、覆土輪３９によって両側の土を押さえつけて移植するのである。
【００１５】
次に、前記移植爪３１の昇降開閉させる昇降開閉機構３２の構成について説明する。
図３、図８に示すように、前記伝動ケース４５の後端部に移植駆動軸２００が軸支され、該移植駆動軸２００の一端には、ロータリケース２０１が固設され、該ロータリケース２０１には、クランクアーム２０２が連結され、該クランクアーム２０２には、移植アーム２０３が枢支されており、該移植アーム２０３には、爪支持体２０４と進退ロッド２０５を介して移植爪３１が連結されている。該移植爪３１は、前後方向に摺動する前記進退ロッド２０５により開閉可能なように二分割されている。前記移植アーム２０３の上端には、ガイドローラ２０７が回動自在に枢支されており、該ガイドローラ２０７は、前述した下部フレーム３７に取付固定されているガイドレール２０８に上下動自在に嵌入されている。
【００１６】
従って、前記クランクアーム２０２が回転し、移植アーム２０３がガイドレール２０８に案内されて前後揺動及び上下動することにより、移植爪３１が楕円形上を描いて上下動し、上端で苗取爪６６から苗を受け継ぎ、下端で圃場に突入させて、移植爪３１を開いて適切に移植している。
【００１７】
次に、前記移植爪３１における移植深さを調整する構成について説明する。
図３、図４に示すように、前記伝動ケース４５はミッションケース３の後側部に回動自在に枢支され、伝動ケース４５の途中部にはブラケット２１０が固設されている。該ブラケット２１０は伝動ケース４５より下方に延出されている。前記ブラケット２１０の下部に連結棒２１１が横設されている。該連結棒２１１の端部に、前述した下部フレーム３７が固設されている。
【００１８】
一方、前記下部フレーム３７の左右途中部には、支持プレート２１７が固設されている。該支持プレート２１７端部に調整アーム２１２途中部が枢支され、該調整アーム２１２の後部に覆土輪３９を支持する覆土輪支持フレーム２１３が固設されている。従って、前記調整アーム２１２と一体的に覆土輪支持フレーム２１３を回動することで、覆土輪３９に対して下部フレーム３７が上下動される。該下部フレーム３７が上下動されると、ブラケット２１０を介して伝動ケース４５が上下方向に回動され、該伝動ケース４５とともに昇降開閉機構３２と移植爪３１とが上下動される。
【００１９】
前記調整アーム２１２を回動させて一定位置に固定するには、図４に示すように構成されている。前記調整アーム２１２の前部と下部フレーム３７前部との間にスプリングコイル２１４が介装され、調整アーム２１２を介して覆土輪３９を上方（下部フレーム３７側）に付勢している。該スプリングコイル２１４の付勢力に抗するために、調整アーム２１２の前部に操作ワイヤー２１５が締結されている。該操作ワイヤー２１５が後上方に延出され、前述した苗載台３４の下方空間に配置するリンク機構に連結され、該リンク機構を本発明の第二操作部２２２の植深さレバー７０に連動させている。
【００２０】
前記操作ワイヤー２１５が連動されるリンク機構について説明する。
図３、図４、図７に示すように、前記苗載台３４底面に前述したガイドフレーム１４７・１４７が配されている。左右のガイドフレーム１４７・１４７の後部のメインフレーム１の後端部近傍位置に連結棒２２０が横設されている。左右のガイドフレーム１４７・１４７の前後略中央位置に連結棒２２１が横設されている。前方の前記連結棒２２１に植深さレバー７０に連動されるリンク機構が支持されている。後方の前記連結棒２２０に操作板２１６が固設され、該操作板２１６に植深さレバー７０や、覆土圧調整レバー７３等が配設され第二操作部２２２が構成されている。
【００２１】
前記連結棒２２１の左右方向中央部より左側には、植深さレバー７０の操作リンク機構を支持するブラケット２２３、ブラケット２２４が固設されている。図５、図７に示すように、前記ブラケット２２３前部にアウターケース２３０が固設され、該アウターケース２３０内に前述した操作ワイヤー２１５が支持されている。また、左右の前記ブラケット２２３・２２４との間に回動部２３３が枢支され、該回動部２３３の外周面にはアーム２３４が固設され、該アーム２３４端部に操作ワイヤー２１５端部が固設されている。さらに該回動部２３３の外周面に側面視「コ」字状の支持体２３５が固設され、該支持体２３５の開放面内に、植深さレバー７０基部が左右方向に回動自在に枢支されている。
【００２２】
該植深さレバー７０はガイドフレーム１４７下面に沿って後上方に延出し、植深さレバー７０の途中部が前記操作板２１６に係止されている。該操作板２１６は、左右方向に長い板体であり、左右方向中央部より左側にラッチを有する植深さレバーガイド溝２１６ｂが開口され、該レバーガイド溝２１６ｂに植深さレバー７０が係合される。
【００２３】
よって、前記植深さレバー７０をガイド溝２１６ｂ内を上下方向に回動させて、植深さレバー７０を左に回動し、植深さレバー７０途中位置をガイド溝２１６ｂ内のラッチに係合させることで、植深さレバー７０の上下方向回動が固定される。該植深さレバー７０の係止位置で、回動部２３３を介してアーム２３４の回動が固定され、前述したスプリングコイル２１４の付勢力に抗して操作ワイアー２１５を引っ張った状態に保持され、調整アーム２１２が一定角度位置に保持されている。該調整アーム２１２が一定角度に保持されると、覆土輪３９に対して下部フレーム３７が一定高さ位置に保持され、伝動ケース４５が上下に回動されることなく一定位置に固定され、昇降開閉機構３２と移植爪３１とが一定高さに保たれる。
【００２４】
そして、前記植深さレバー７０をガイド溝２１６ｂ内のラッチの上方位置に係合することで、操作ワイアー２１５がスプリングコイル２１４の付勢力に従って摺動し、調整アーム２１２上部が前方に回動され、覆土輪３９に対して下部フレーム３７を低い位置に移動させている。該下部フレーム３７が下方に移動されると、伝動ケース４５上部を下方に回動し、移植爪３１と昇降開閉機構３２とを下方に移動させて、移植深さを深くしている。
逆に、植深さレバー７０をガイド溝２１６ｂ内のラッチの下方位置に係合することで、操作ワイアー２１５がスプリングコイル２１４の付勢力に抗して摺動し、調整アーム２１２上部が後方に回動され、覆土輪３９に対して下部フレーム３７を高い位置に移動され、伝動ケース４５を上方に回動し、移植爪３１と昇降開閉機構３２とを上方に移動させて、移植深さを浅くしている。
【００２５】
また、前記植深さレバー７０を操作することによって、覆土輪３９を支持する覆土輪支持フレーム２１３と下部フレーム３７との取り付け角度が固定され、覆土輪３９に対して下部フレーム３７が一定高さに保持されている。該下部フレーム３７の後部は、苗載台３４底面を被装したガイドフレーム１４７・１４７下部の近傍位置まで延出され、下部フレーム３７後端部に連結アーム２４０が固設されている。該連結アーム２４０が、前記苗載台３４の下方に配置される操作リンク機構に係合され、該リンク機構が第二操作部２２２の覆土圧調整レバー７３と連動されている。従って、覆土圧調整レバー７３を操作して、下部フレーム３７後部を上下動さることで、覆土圧が調整される。
【００２６】
前記覆土圧調整レバー７３が連動されるリンク機構は、図６、図７に示すように構成されている。前記連結棒２２１の左右方向中央部より右側にブラケット２２５が固設され、前述した下部フレーム３７後端に固設した連結アーム２４０がブラケット２２５側方まで延出されている。該ブラケット２２５前部に長孔２２５ａが開口され、該長孔２２５ａ内に上下方向に摺動自在にピン２３９が遊嵌されている。該ピン２３９の一端が、前記連結アーム２４０に枢支されている。一方、前記ブラケット２２５に回動アーム２３８の途中部が枢支され、該回動アーム２３８の前部にピン２３９の他端が遊嵌されている。前記回動アーム２３８の枢支位置を中心とする対称位置に孔が開口され、何れかの孔にバネ２３６が係止されている。
【００２７】
該バネ２３６は、ガイドフレーム１４７下面に沿って後上方に延出されている。該バネ２３６他端は、前記操作板２１６に枢支されている覆土圧調整レバー７３下部に係止されている。前記操作板２１６の左右中央部の右側にガイド溝２１６ｃが開口され、該ガイド溝２１６ｃ内に覆土圧調整レバー７３途中部が係止されている。よって、前記植深さレバー７０の直側方位置に覆土圧調整レバー７３が配置されている。
【００２８】
そして、前記覆土圧調整レバー７３に係止したバネ２３６を、回動アーム２３８枢支位置より上方の孔に係止すると、回動アーム２３８前端部が上方に回動され、ピン２３９がブラケット２２５の長孔２２５ａ上方位置に摺動し、連結アーム２４０が長孔２２５ａの上方位置で連結されている。該連結アーム２４０が上方に移動されることで、下部フレーム３７が上方に吊り上がり、覆土圧を減じている。この場合には、覆土圧調整レバー７３を下方に回動させる程、バネ２３６の付勢力が大きくなり、下部フレーム３７を上方に吊り上げる力が強くなり、覆土圧が弱められる。
【００２９】
そして、前記覆土圧調整レバー７３に係止されるバネ２３６を、回動アーム２３８枢支位置より下方の孔に係止すると、回動アーム２３８前端部が下方に回動され、ブラケット２２５の長孔２２５ａ下方にピン２３９が摺動し、連結アーム２４０が下方に移動されている。該連結アーム２４０が下方に移動されると、下部フレーム３７を下方に押し下げて、覆土圧を増加している。この場合には、覆土圧調整レバー７３を下方に回動させる程、バネ２３６の付勢力が大きくなり、覆土圧を強めている。
【００３０】
このように、覆土圧を調整するリンク機構を苗載台３４下方のガイドフレーム１４７形状に沿わせて配置されている。更に、前記下部フレーム３７後部に植深さレバー７０等を配置しておらず、下部フレーム３７を上方のガイドフレーム１４７近傍位置まで回動させることができ、高さのある苗を移植することができる。
【００３１】
更に、前記植深さレバー７０と覆土圧調整レバー７３とを配している操作板２１６には、左側位置に株間変更レバー７２の枢支される枢支部２１６ａ、主変速レバー７１係合用のガイド溝２１６ｄが開口されている。更に、前記連結棒２２１の左側に、ブラケット２２６が固設され、該ブラケット２２６にアウターケース２２７端部が固設され、該アウターケース２２７内に支持されるワイヤーが株間変更レバー７２に連結され、ミッションケース３内のベルト式無段変速装置が操作されている。よって、前記第一操作部２４５の下方近傍位置の操作板２１６に複数のレバーが配設され、操作性の優れた第二操作部２２２が形成されている。
【００３２】
【発明の効果】
本発明は以上のように構成したので、次のような効果を奏する。
請求項１記載のように、メインフレーム（１）を平面視前方を開放した略コ字状に構成し、該メインフレーム（１）の前後中央部の間に、移植爪（３１）の昇降開閉機構（３２）と、苗取り駆動機構（６５）を配置し、前記メインフレーム（１）の後部の間に苗載台（３４）が配置され、該メインフレーム（１）後部より前下方に延出するガイドフレーム（１４７）に苗載台（３４）を摺動自在に支持し、該ガイドフレーム１４７より下方で、該移植爪３１の後下方に下部フレーム３７を配置し、該下部フレーム３７に覆土輪３９を吊設し、前記覆土輪３９を支持する覆土輪支持フレーム２１３と下部フレーム３７との取り付け角度を変更することにより移植爪３１の移植深さを調整する植深さレバー７０と、下部フレーム３７の後部を上下動させることで、覆土圧を調整する覆土圧調整レバー７３を、前記メインフレーム１の後部に固設したハンドル３６より下方で、覆土輪３９より上方のガイドフレーム１４７に沿って配設し、前記ガイドフレーム１４７・１４７の後部のメインフレーム１の後端部近傍位置に連結棒２２０を横設し、該連結棒２２０に操作板２１６を固設し、該操作板２１６に植深さレバー７０と、覆土圧調整レバー７３を配置したので、移植部の移植深さを調整するレバーと、覆土圧を調整するレバーを、メインフレーム後部に固設するハンドル下方の、苗載台底部を被装するフレームに沿って配しており、機体後方より追従して操作するオペレータによって、機体の姿勢の変化を確認しながら、移植深さを調整するレバー、覆土圧を調整するレバー等を操作することができ、切替操作が容易となっている。また、下部フレームより離れた位置に設けられており、下部フレームを上下回動させる範囲が長くなり、移植深さの調整範囲を大きくすることができ、様々な種類の苗の移植することができる。
【００３３】
また、請求項２記載のように、請求項１記載の歩行型野菜移植機の操作部において、該操作板２１６に、植深さレバー７０と覆土圧調整レバー７３の他に、歩行型野菜移植機の速度を変速する主変速レバー７１と、株間を変える株間変更レバー７２とを配置したことで、苗の品種の異なる苗トレイに切り替えた場合に、一括して複数のレバーを操作することができ、機能的な操作部を構成することができ、機体後方より追従して作業するオペレータによる操作性を向上することができる。
【図面の簡単な説明】
【図１】  歩行型野菜移植機の全体側面図である。
【図２】  同じく平面図である。
【図３】  歩行型野菜移植機後部を示す側面図である。
【図４】  覆土輪支持構成を示す側面図である。
【図５】  植深さレバーに連動するリンク機構を示す側面図一部断面図である。
【図６】  覆土圧調整レバーに連動するリンク機構を示す側面図一部断面図である。
【図７】  本発明の第二操作部を示す平面図一部断面図である。
【図８】  移植爪の昇降開閉機構を示す平面図一部断面図である。
【符号の説明】
１    メインフレーム
３１  移植爪
３２  昇降開閉機構
３４  苗載台
３９  覆土輪
７０  植深さレバー
７１  主変速レバー
７２  株間変更レバー
７３  覆土圧調整レバー
２２２  第二操作部
２４５  第一操作部
【図１】
0003878718.tif 000002
【図２】
0003878718.tif 000003
【図３】
0003878718.tif 000004
【図４】
0003878718.tif 000005
【図５】
0003878718.tif 000006
【図６】
0003878718.tif 000007
【図７】
0003878718.tif 000008
【図８】
0003878718.tif 000009